(57)【要約】【課題】基地局情報に含まれる基地局装置の数を増加させる。【解決手段】第１の態様によれば、複数の基地局装置と接続された制御装置において、前記複数の基地局装置の送信処理を制御する制御部と、前記複数の基地局装置のいずれかと通信する端末装置から送信される基地局情報であって、前記複数の基地局装置から送信される検出用信号のうち、前記端末装置において基準値以上の受信品質で受信した前記検出用信号の測定結果を含む基地局情報を受信する受信部とを有し、前記制御部は、前記基地局情報が所定の条件を満たさない場合、前記端末装置が接続中の接続中基地局装置以外の基地局装置から送信される前記検出用信号の受信品質を向上させる制御を行う。【選択図】  図５
2018006924.tif 000002
【特許請求の範囲】
【請求項１】
複数の基地局装置と接続された制御装置において、
前記複数の基地局装置の送信処理を制御する制御部と、
前記複数の基地局装置のいずれかと通信する端末装置から送信される基地局情報であって、前記複数の基地局装置から送信される検出用信号のうち、前記端末装置において基準値以上の受信品質で受信した前記検出用信号の測定結果を含む基地局情報を受信する受信部とを有し、
前記制御部は、前記基地局情報が所定の条件を満たさない場合、前記端末装置が接続中の接続中基地局装置以外の基地局装置から送信される前記検出用信号の受信品質を向上させる制御を行う
制御装置。
【請求項２】
前記所定の条件は、前記基地局情報が前記接続中基地局装置以外の基地局装置の測定結果を含むことである
請求項１記載の制御装置。
【請求項３】
前記所定の条件は、前記基地局情報が前記接続中基地局装置以外の基地局装置の測定結果を含むこと又は前記接続中基地局装置の検出用信号の受信電力が基準電力より高いこと、を含む
請求項１記載の制御装置。
【請求項４】
前記基準電力は、前記端末装置が前記接続中基地局装置の通信エリア端ではない場所に位置することを示す受信電力である
請求項３記載の制御装置。
【請求項５】
前記受信品質は、
前記端末装置における前記検出用信号の受信電力と、受信した前記検出用信号に発生する干渉の度合いとを含み、
前記受信電力が第１閾値以上であり、かつ前記干渉の度合いが第２閾値以下である場合、前記基準値以上となる
請求項１記載の制御装置。
【請求項６】
前記測定結果は、前記基準値以上の受信品質で受信した検出用信号の受信電力、及び前記検出用信号を送信した基地局装置の識別子を含む
請求項１記載の制御装置。
【請求項７】
前記制御部は、前記検出用信号の受信品質を向上させる制御を行った後、さらに、前記端末装置から基地局情報を再受信し、前記再受信した基地局情報に、前記接続中基地局装置以外の基地局装置の測定結果が含まれるか否かを判定する
請求項２記載の制御装置。
【請求項８】
前記制御部は、前記再受信した基地局情報に、前記接続中基地局装置以外の基地局装置の測定結果が含まれる場合、前記接続中基地局装置の通信エリアと前記接続中基地局装置以外の基地局装置の通信エリアの重複エリアに、前記端末装置が位置すると判定する
請求項７記載の制御装置。
【請求項９】
前記制御部は、前記再受信した基地局情報に、前記接続中基地局装置以外の基地局装置の測定結果が含まれない場合、前記接続中基地局装置の通信エリアであって、前記接続中基地局装置以外の基地局装置の検出用信号が到達しないエリアに、前記端末装置が位置すると判定する
請求項７記載の制御装置。
【請求項１０】
前記複数の基地局装置の送信処理の制御は、前記複数の基地局装置それぞれの送信出力を増減させる処理を含み、
前記制御部は、前記再受信した基地局情報に含まれる基地局装置の測定結果に基づき、前記複数の基地局装置それぞれの前記送信出力を決定する
請求項７記載の制御装置。
【請求項１１】
前記制御部は、前記再受信した基地局情報に、前記接続中基地局装置以外の基地局装置の測定結果が含まれない場合、前記端末装置の前記接続中基地局装置以外の基地局装置の測定結果を推定する
請求項７記載の制御装置。
【請求項１２】
前記検出用信号の受信品質を向上させる制御は、前記検出用信号がマッピングされる周波数帯域に対して、前記検出用信号以外の信号のマッピングを停止させる処理を含む
請求項１記載の制御装置。
【請求項１３】
前記検出用信号の受信品質を向上させる制御は、前記接続中基地局装置以外の基地局装置の前記検出用信号の送信電力を上げる処理を含む
請求項１記載の制御装置。
【請求項１４】
前記検出用信号の受信品質を向上させる制御は、前記検出用信号がマッピングされる周波数帯域に対して、前記検出用信号以外の信号のマッピングを停止させる停止処理と、前記接続中基地局装置以外の基地局装置の前記検出用信号の送信電力を上げる電力増加処理とを含み、
前記制御部は、前記基地局情報が前記所定の条件を満たさない場合、前記停止処理を実行し、前記端末装置から基地局情報を再受信し、前記再受信した基地局情報が前記所定の条件を満たさない場合、前記電力増加処理を実行する
請求項１記載の制御装置。
【請求項１５】
複数の基地局装置のいずれかと通信する端末装置から送信される基地局情報であって、前記端末装置が基準値以上の受信品質で受信した、前記複数の基地局装置から送信される検出用信号の測定結果を含む基地局情報を受信し、前記受信した基地局情報を制御装置に送信する通信部と、
前記基地局情報が所定の条件を満たさない場合、前記端末装置が接続中の接続中基地局装置以外の基地局装置から送信される前記検出用信号の前記端末装置における受信品質を向上させる制御を実行するよう指示する受信品質向上指示を、前記制御装置から受信し、前記受信した受信品質向上指示に応じて、前記検出用信号の受信品質を向上させる処理を行う受信品質向上処理部とを有する、
基地局装置。
【請求項１６】
接続される複数の基地局装置の送信処理を制御する制御装置と、
前記複数の基地局装置から送信される検出用信号のうち、基準値以上の受信品質で受信した前記検出用信号の測定結果を含む基地局情報を、前記制御装置に送信する端末装置と、
前記端末装置が送信する前記基地局情報を、前記制御装置に中継する基地局装置とを有し、
前記制御装置は、前記端末装置から受信した前記基地局情報が所定の条件を満たさない場合、前記端末装置が接続中の接続中基地局装置以外の基地局装置から送信される前記検出用信号の受信品質を向上させる制御を行う
通信システム。
【請求項１７】
接続された複数の基地局装置の送信処理を制御する制御装置における基地局装置制御方法であって、
前記複数の基地局装置のいずれかと通信する端末装置から送信される基地局情報であって、前記基地局装置から送信される検出用信号のうち、前記端末装置において基準値以上の受信品質で受信した前記検出用信号の測定結果を含む基地局情報を受信し、
前記基地局情報が所定の条件を満たさない場合、前記端末装置が接続中の接続中基地局装置以外の基地局装置から送信される前記検出用信号の受信品質を向上させる制御を行う
基地局装置制御方法。
【発明の詳細な説明】
【技術分野】
【０００１】
本発明は、制御装置、基地局装置、通信システム、及び基地局装置制御方法に関する。
【背景技術】
【０００２】
近年の通信システムは、無線通信ができないエリアを無くすため、多くの基地局装置を狭い範囲に配置し、基地局装置が端末装置と通信可能な通信エリア（以降、セルと呼ぶ）の一部が重複する。そのため、このセルの重複エリアに位置する端末装置は、複数の基地局装置から送信される電波の干渉により、無線通信のスループットが低下する。
【０００３】
また、無線通信のスループットが低下する別の要因として、多くの端末装置が特定の基地局装置のセルに集中し、無線リソースの割当機会が減少することによる、端末装置が送受信するパケットの滞留がある。
【０００４】
そこで、通信システムは、複数の基地局装置が送信する電波の出力を制御する制御装置を設ける。制御装置は、端末装置に送信する電波の干渉や、１つの基地局装置への端末装置の集中を防止するようなセル構成となるよう、基地局装置を制御する。制御装置は、端末装置から通信可能な基地局装置の情報（以降、基地局情報と呼ぶ）を取得し、端末装置のおおよその位置を判定する。そして、制御装置は、判定した位置に基づいて各基地局装置の送信出力を制御することで、セルサイズを変更し、通信システム全体として適切なセル構成を実現する。
【０００５】
制御装置に関する技術は、以下の特許文献１〜３に記載されている。
【先行技術文献】
【特許文献】
【０００６】
【特許文献１】特開２０１５−１１９３７７号公報
【特許文献２】特開２０１４−１２７９７６号公報
【特許文献３】特開２０１５−０７３２０９号公報
【発明の概要】
【発明が解決しようとする課題】
【０００７】
しかし、制御装置は、基地局情報に含まれる基地局装置の数が少ないと、セルサイズを決定するのに十分な精度で端末装置の位置を判定することができない。
【０００８】
例えば、基地局情報に含まれる端末装置が接続中の基地局装置（以降、接続中基地局装置と呼ぶ）だけである場合、制御装置は、端末装置が接続中基地局装置のセル内に位置することを判定できるが、他の基地局装置と端末装置との位置関係を判定できない。この場合、端末装置に近い他の基地局装置の送信出力を上げたとき、当該端末装置に干渉が発生する、又は送信出力を上げたセルに端末装置が集中するなどの問題が発生しうる。よって、より適切なセル構成を実現するためには、基地局情報に含まれる基地局装置の数が多い方が好ましい。
【０００９】
開示の一つの側面は、基地局情報に含まれる基地局装置の数を増加させる制御装置、基地局装置、通信システム、及び基地局装置制御方法を提供する。
【課題を解決するための手段】
【００１０】
第１の態様によれば、複数の基地局装置と接続された制御装置において、前記複数の基地局装置の送信処理を制御する制御部と、前記複数の基地局装置のいずれかと通信する端末装置から送信される基地局情報であって、前記複数の基地局装置から送信される検出用信号のうち、前記端末装置において基準値以上の受信品質で受信した前記検出用信号の測定結果を含む基地局情報を受信する受信部とを有し、前記制御部は、前記基地局情報が所定の条件を満たさない場合、前記端末装置が接続中の接続中基地局装置以外の基地局装置から送信される前記検出用信号の受信品質を向上させる制御を行う。
【発明の効果】
【００１１】
一開示は、基地局情報に含まれる基地局装置の数を増加させることにある。
【図面の簡単な説明】
【００１２】
【図１】図１は、通信システム１０の構成例を示す図である。
【図２】図２は、制御装置３００の構成例を示す図である。
【図３】図３は、基地局装置２００の構成例を示す図である。
【図４】図４は、端末装置１００の構成例を示す図である。
【図５】図５は、基地局制御処理のシーケンスの例を示す図である。
【図６】図６は、基地局情報報告処理の処理フローチャートの例を示す図である。
【図７】図７は、端末装置１００と、セルＡ２００−１，２との位置関係の例を示す図である。
【図８】図８は、受信品質向上処理の割り当て停止処理の処理フローチャートの例を示す図である。
【図９】図９は、端末装置１００−３が受信する無線リソースの例を示す図である。
【図１０】図１０は、受信品質向上処理の送信電力増加処理の処理フローチャートの例を示す図である。
【図１１】図１１は、隣接基地局装置の送信電力増加処理の実行前後における、端末装置１００−３とセルの関係の例を示す図である。
【図１２】図１２は、隣接基地局装置の送信電力増加処理の実行前後における、端末装置１００−１とセルの関係の例を示す図である。
【図１３】図１３は、基地局送信制御処理の処理フローチャートの例を示す図である。
【図１４】図１４は、基地局制御処理のシーケンスの例を示す図である。
【図１５】図１５は、制御装置３００の構成例を示す図である。
【図１６】図１６は、基地局装置２００の構成例を示す図である。
【図１７】図１７は、基地局制御処理のシーケンスの例を示す図である。
【発明を実施するための形態】
【００１３】
図１は、通信システム１０の構成例を示す図である。通信システム１０は、端末装置１００−１，２（以降、端末装置１００と呼ぶ場合がある）、基地局装置２００−１〜３（以降、基地局装置２００と呼ぶ場合がある）、制御装置３００、ゲートウェイ４００、及び外部ネットワーク５００を有する。さらに、基地局装置２００−１〜３は、セルＡ２００−１〜３をそれぞれ有する。セル内に位置する端末装置１００−１，２は、当該セルを有する基地局装置２００−１〜３と無線通信を行うことが可能である。
【００１４】
通信システム１０は、例えば、ワイファイ（Wi-Fi：Wireless Fidelity）などのローカルエリアネットワークや、ＬＴＥ（Long Term Evolution）などの無線通信ネットワークである。通信システム１０は、例えば、端末装置１００−１，２がインターネットなどの外部ネットワーク５００のサービスを受けるため、端末装置１００−１，２に通信を提供する通信システムである。端末装置１００−１，２は、基地局装置２００、ゲートウェイ４００を介して、外部ネットワーク５００とパケットの送受信を行うことで、通信を実現する。
【００１５】
また、通信システム１０のセル構成(セルサイズ)は、制御装置３００が、基地局装置２００−１〜３が送信する電波の出力を制御し、セルＡ２００−１〜３のセル半径を調整することで、端末装置１００−１，２の無線通信のスループットが低下しないよう制御されている。
【００１６】
基地局装置２００−１〜３は、端末装置１００−１，２が送受信するパケットを中継する装置であり、例えば、ＬＴＥにおいてはｅＮｏｄｅＢ（evolved Node B）であり、ワイファイにおいてはアクセスポイントである。基地局装置２００−１〜３は、自基地局装置を端末装置１００−１，２に検出させるための検出用信号を定期的に送信する。検出用信号は、例えば、基地局装置２００−１〜３の識別子が含まれてもよい。つまり、検出用信号は、例えば、ＬＴＥにおけるｅＮｏｄｅＢや、ワイファイにおけるアクセスポイントが送信する、受信品質を測定するための参照信号である。また、検出用信号は、決まった周波数で送信される。端末装置１００−１，２は、検出用信号が送信される決められた周波数の電波を探索することで、自端末装置の周辺に存在する、通信可能な基地局装置を検出することができる。
【００１７】
端末装置１００−１，２は、セルＡ２００−１〜３内に位置するとき、基地局装置２００−１〜３と無線を介して接続し、パケットを送受信する。端末装置１００−１は基地局装置２００−１と、端末装置１００−２は基地局装置２００−２と接続中である。端末装置１００−１，２は、制御装置３００からの要求時又は定期的に、検出用信号を測定し、測定した結果を基地局情報として制御装置３００に送信する。
【００１８】
制御装置３００は、端末装置１００による基地局装置の検出用信号の測定結果が含まれる基地局情報を、端末装置１００から接続中の基地局装置２００を介して取得する。端末装置１００は、受信した検出用信号のうち、受信品質が基準値以上の検出用信号についての測定結果を、基地局情報として制御装置３００に送信する。従って、基地局情報には、端末装置１００が基準値以上の受信品質で受信した検出用信号を送信した基地局装置２００に関する測定結果が含まれる。
【００１９】
基準値は、例えば、端末装置１００が基地局装置２００と無線通信することが可能な受信品質であり、受信電力や干渉度合いを示す。また、測定結果は、例えば、基地局装置の識別子と受信電力を含む。制御装置３００は、取得した基地局情報から、端末装置１００の位置を判定し、判定した結果に基づき、基地局装置２００−１〜３の送信出力を制御する。なお、制御装置３００が判定する端末装置１００の位置は、座標で示す位置以外に、例えば、基地局装置２００が送信した電波がどれくらい損失（または減衰）するかを示す電波的距離に基づく位置を含む。端末装置１００の位置を相対的な位置で示す場合、例えば、「基地局装置２００の送信電力に対して、２０ｄＢ（デシベル）減衰した電力で受信する位置（電波的距離）」など、端末装置１００における受信電力を基準として表してもよい。
【００２０】
制御装置３００は、取得した基地局情報によって、端末装置の位置を判定できない、もしくは判定した位置の精度が低い場合、その端末装置の位置するセルに隣接する基地局装置２００−１〜３の送信出力を、検出用信号の受信品質が向上するように制御する。
【００２１】
図１の例では、端末装置１００−２は、セルＡ２００−１，２の２つのセル内に位置する。よって、端末装置１００−２が送信する基地局情報は、接続中の基地局装置（以降、接続中基地局装置と呼ぶ）である基地局装置２００−２と、接続中ではないが通信可能な基地局装置２００−１の、計２つの基地局装置の測定結果が含まれる。よって、制御装置３００は、端末装置１００−２がセルＡ２００−１とセルＡ２００−２の２つのセルが重複するエリアに位置することを判定できる。
【００２２】
一方、端末装置１００−１は、セルＡ２００−１の１つのセル内に位置しており、端末装置１００−１が送信する基地局情報は、接続中基地局装置である基地局装置２００−１の測定結果だけが含まれる。
【００２３】
よって、端末装置１００−２は、セルＡ２００−１のセル内に位置することを判定できるが、基地局装置２００−２，３との位置関係を判定できない。そこで、制御装置３００は、端末装置１００−１を、判定した位置の精度が低い端末装置であると判定し、基地局装置２００−１に隣接する基地局装置２００−２，３の検出用信号の受信品質が向上するように制御する。
【００２４】
そして、制御装置３００は、検出用信号の受信品質が向上するよう制御した後、当該端末装置から再度基地局情報を取得する。当該端末装置は、検出用信号の受信品質が向上したことにより、接続中基地局装置以外の基地局装置（以降、隣接基地局装置と呼ぶ）の検出用信号を基準値以上の受信品質で受信でき、再度送信する基地局情報に含まれる基地局装置の数が増加する確率が向上する。
【００２５】
［第１の実施の形態］
このように、第１の実施の形態では、制御装置は複数の基地局装置の送信処理を制御する。また、前記基地局装置から送信される、端末装置が前記基地局装置を検出するための検出用信号のうち、基準値以上の受信品質で受信した前記検出用信号の測定結果を含む基地局情報を、端末装置から受信する。さらに、制御装置は、取得した基地局情報が所定の条件を満たさない場合、端末装置が接続中の接続中基地局装置以外の基地局装置から送信される検出用信号の受信品質を向上させる制御を行う。
【００２６】
＜制御装置の構成例＞
図２は、制御装置３００の構成例を示す図である。制御装置３００は、例えば、コンピュータであり、ＣＰＵ（Central Processing Unit）３１０、ストレージ３２０、ＤＲＡＭ（Dynamic Random Access Memory）などのメモリ３３０、及びＮＩＣ（Network Interface Card）３４０−１〜ｎを有する。
【００２７】
ストレージ３２０は、プログラムやデータを記憶するＨＤＤ（Hard Disk Drive）やＳＳＤ（Solid State Drive）などの補助記憶装置である。ストレージ３２０は、基地局制御プログラム３２１、受信品質向上制御プログラム３２２、基地局情報取得プログラム３２３、及び基地局情報テーブル３２４を記憶する。
【００２８】
基地局情報テーブル３２４は、端末装置１００から取得した基地局情報を、端末装置ごとに記憶するテーブルである。基地局情報テーブル３２４は、例えば、基地局装置の識別子や検出用信号の受信電力などが記憶される。
【００２９】
メモリ３３０は、ストレージ３２０に記憶されているプログラムをロードする領域である。また、メモリ３３０、プログラムがデータを記憶する領域としても使用される。
【００３０】
ＮＩＣ３４０−１〜ｎは、基地局装置２００やネットワークと接続し、通信を行う装置である。ＮＩＣ３４０−１〜ｎは、ハブやスイッチを介して他の基地局装置と接続してもよい。
【００３１】
ＣＰＵ３１０は、ストレージ３２０に記憶されているプログラムを、メモリ３３０にロードし、ロードしたプログラムを実行し、各処理を実現するプロセッサである。
【００３２】
ＣＰＵ３１０は、基地局制御プログラム３２１及び各モジュール３２１１〜３２１４を実行することで、制御部を構築し、基地局制御処理を実現する。基地局制御処理は、基地局装置２００の送信出力を制御する処理である。
【００３３】
ＣＰＵ３１０は、端末位置判定モジュール３２１１を実行することで、制御部が行う端末位置判定処理を実現する。端末位置判定処理は、制御装置３００が、取得した基地局情報の測定結果に含まれる、端末装置１００が検出用信号の基地局装置の識別子とその受信電力、又は推定した受信電力に基づいて、端末装置１００の位置を判定する処理である。
【００３４】
ＣＰＵ３１０は、受信電力推定モジュール３２１２を実行することで、制御部が行う受信電力推定処理を実現する。受信電力推定処理は、端末装置の受信感度や、端末装置の受信電力の経過などから、端末装置１００の隣接基地局装置の検出用信号の受信電力を推定する処理である。
【００３５】
ＣＰＵ３１０は、基地局送信制御モジュール３２１３を実行することで、制御部が行う基地局送信制御処理を実現する。基地局送信制御処理は、端末位置判定処理で判定した端末装置の位置に基づき、適切なセルサイズとなるよう基地局装置２００の送信出力を制御する。適切なセルサイズとは、端末装置のスループットが低下しないセルサイズであり、例えば、端末装置が特定の基地局装置２００に集中しないセルサイズや、端末装置がセルの重複エリアに位置しないようなセルサイズである。
【００３６】
ＣＰＵ３１０は、再取得判定モジュール３２１４を実行することで、制御部が行う再取得判定処理を実現する。再取得判定処理は、取得した基地局情報の測定結果で、適切なセル構成を構築するのに十分な精度の端末装置の位置を判定できるかどうかを判定する処理である。例えば、ある端末装置の基地局情報に、接続中基地局装置の測定結果しか含まれない場合、制御装置３００は、端末装置が接続中基地局装置のセル内に位置することは判定できる。しかし、制御装置３００は、端末装置がセル内のどのあたりに位置するのか、また、隣接基地局装置との位置関係は判定することができない。
【００３７】
このように端末装置の位置の判定精度が低いと、制御装置３００は、電波干渉を解消する場合や、またはセル内の端末装置の集中を緩和する場合、適切なセルサイズに制御することができない。そこで、第１の実施の形態における制御装置３００は、取得した基地局情報だけでは端末装置の位置の判定精度が低いと判定した場合、隣接基地局装置から送信される測定用信号の受信品質を向上させ、基地局情報の再取得（再受信）を行う。
【００３８】
また、ＣＰＵ３１０は、受信品質向上制御プログラム３２２を実行することで、制御部を構築し、受信品質向上処理を実現する。受信品質向上処理は、基地局装置２００−１〜３に、検出用信号の受信品質を向上させる処理を実行するよう指示する処理である。制御装置３００は、再取得判定処理において、基地局情報の再取得行うと判定をしたとき、受信品質向上処理を実行する。
【００３９】
さらに、ＣＰＵ３１０は、基地局情報取得プログラム３２３を実行することで、受信部を構築し、基地局情報取得処理を実現する。基地局情報取得処理は、各端末装置に、接続中基地局装置を介して、基地局情報を報告するよう要求する処理である。制御装置３００は、基地局情報を受信し、端末装置ごとに受信した基地局情報を基地局情報テーブル３２４に記憶する。
【００４０】
＜基地局装置の構成例＞
図３は、基地局装置２００の構成例を示す図である。基地局装置２００は、ＣＰＵ２１０、ストレージ２２０、メモリ２３０、及びＮＩＣ２４０−１〜ｎ、及びＲＦ（Radio Frequency）回路２５０を有する。
【００４１】
ＣＰＵ２１０、ストレージ２２０、メモリ２３０、及びＮＩＣ２４０−１〜ｎは、それぞれ、図２のＣＰＵ３１０、ストレージ３２０、メモリ３３０、及びＮＩＣ３４０−１〜ｎと同様の装置である。
【００４２】
但し、ストレージ２２０は、受信品質向上プログラム２２１及び通信制御プログラム２２２を記憶する。また、ＲＦ回路２５０は、アンテナを介して、電波の送受信を実現する装置である。ＲＦ回路２５０は、例えば、当該基地局装置のセル内に位置する端末装置と、無線を介して通信を行う。
【００４３】
ＣＰＵ２１０は、受信品質向上プログラム２２１を実行することで、受信品質向上処理部を構築し、受信品質向上処理を実現する。基地局装置２００は、受信品質向上処理において、検出用信号の送信出力を上げる処理や、検出用信号がマッピングされる周波数のリソースに、検出用信号以外のデータチャネルを割り当てないようにする処理などの、検出用信号の受信品質が向上する処理を実行する。基地局装置２００は、検出用信号の受信品質が向上する処理を行った後、端末装置に基地局情報を報告するよう要求する。そして、端末装置から受信した基地局情報を、制御装置３００に送信し、検出用信号の受信品質が向上する処理を停止し、受信品質向上処理を実行する前の状態に戻す。基地局装置２００は、所定時間経過しても端末装置から基地局情報を受信できない場合、検出用信号の受信品質が向上する処理を停止し、受信品質向上処理を実行する前の状態に戻してもよい。
【００４４】
また、ＣＰＵ２１０は、通信制御プログラム２２２を実行することで、通信部を構築し、通信制御処理を実現する。通信制御処理は、端末装置１００との通信を制御する処理である。通信部は、端末装置１００から受信した基地局情報を、制御装置３００に送信する。
【００４５】
ＣＰＵ２１０は、無線送信出力制御モジュール２２２１を実行することで、無線送信出力制御処理を実現する。基地局装置２００は、無線送信出力制御処理において、ＲＦ回路２５０から送信される無線送信電波の出力を変更する。基地局装置２００は、受信品質向上処理部が検出用信号の送信出力を上げる場合、無線送信出力制御処理を実行し、無線送信電波の出力を上げる。
【００４６】
ＣＰＵ２１０は、周波数リソース割当モジュール２２２２を実行することで、周波数リソース割当処理を実現する。周波数リソース割当処理は、端末装置が行う通信に使用する周波数のリソースを割り当てる処理である。基地局装置２００は、受信品質向上処理部が検出用信号のマッピングされる周波数のリソースに検出用信号以外のデータチャネルを割り当てないようにする場合、周波数リソース割当処理を実行する。
【００４７】
ＣＰＵ２１０は、パケット送受信モジュール２２２３を実行することで、パケット送受信処理を実現する。パケット送受信処理は、端末装置間や、端末装置とネットワーク間で送受信されるパケットを中継する処理である。
【００４８】
＜端末装置の構成例＞
図４は、端末装置１００の構成例を示す図である。端末装置１００は、ＣＰＵ１１０、ストレージ１２０、メモリ１３０、及びＲＦ回路１５０を有する。
【００４９】
ＣＰＵ１１０、ストレージ１２０、メモリ１３０、及びＲＦ回路１５０は、それぞれ、図３のＣＰＵ２１０、ストレージ２２０、メモリ２３０、及びＲＦ回路２５０と同様の装置である。
【００５０】
但し、ストレージ１２０は、基地局情報報告プログラム１２１及び通信制御プログラム１２２を記憶する。
【００５１】
ＣＰＵ１１０は、基地局情報報告プログラム１２１を実行することで、基地局情報報告処理を実現する。基地局情報報告処理は、基地局情報を測定し、制御装置３００に報告する処理である。
【００５２】
ＣＰＵ１１０は、基地局情報測定モジュール１２１１を実行することで、基地局情報測定処理を実現する。基地局情報測定処理は、基地局装置２００が送信する検出用信号を探索し、受信した検出用信号の受信電力や干渉度合いなどの受信品質を測定する処理である。
【００５３】
ＣＰＵ１１０は、基地局情報報告送信モジュール１２１２を実行することで、基地局情報報告送信処理を実現する。基地局情報報告送信処理は、基地局装置２００から送信される、端末装置が基地局装置２００を検出するための検出用信号のうち、基準値以上の受信品質で受信した検出用信号の測定結果を、基地局情報報告として制御装置３００に送信する処理である。
【００５４】
また、ＣＰＵ１１０は、通信制御プログラム１２２を実行することで、通信制御処理を実現する。通信制御処理は、基地局装置２００を介して、他の端末装置又はネットワークとの通信を制御する処理である。
【００５５】
＜基地局制御処理＞
図５は、基地局制御処理のシーケンスの例を示す図である。以下、図５を用いて、基地局情報取得処理について説明する。なお、図５において、基地局装置２００−３は省略する。
【００５６】
制御装置３００は、基地局送信制御処理（Ｓ１１３）を実行するために、端末装置１００から基地局情報を取得する基地局情報取得処理（Ｓ１０１〜Ｓ１１０）を実行する。
【００５７】
このとき、基地局装置２００は、基地局情報取得処理において、受信品質向上処理（Ｓ１０８）を実行する。この結果、制御装置３００は、受信電力推定処理（Ｓ１１２）を実行し、基地局送信制御処理（Ｓ１１３）を実行する。
【００５８】
以下、基地局情報取得処理（Ｓ１０１〜Ｓ１１０）、受信品質向上処理（Ｓ１０８）、受信電力推定処理（Ｓ１１２）、及び基地局送信制御処理（Ｓ１１３）の順に説明する。
【００５９】
＜１．基地局情報取得処理＞
図５に図示するように、制御装置３００は、各基地局装置の電波の送信電力を取得するため、基地局装置２００−１〜３に送信電力報告指示（Ｓ１０１）を送信する。基地局装置２００−１〜３は、送信電力報告指示を受信すると、自基地局装置の送信電力を、送信電力報告として制御装置３００に送信する（Ｓ１０２−１，２）。なお、制御装置３００が各基地局装置の送信電力を取得する理由は、端末装置の位置を判定する指標であるパスロス（Path loss）の算出に、送信電力を使用するためである。
【００６０】
次に、制御装置３００は、接続中基地局装置である基地局装置２００を介して、接続中の全ての端末装置１００に、基地局情報の報告を要求する基地局情報報告指示を送信する（Ｓ１０３−１，２）。端末装置１００−１，２は、基地局情報報告指示を受信すると、それぞれ基地局情報報告処理（Ｓ１０４）を実行する。
【００６１】
図６は、基地局情報報告処理の処理フローチャートの例を示す図である。端末装置１００は、検出用信号を測定する（Ｓ１０４１）。検出用信号の測定では、検出用信号が送信される周波数の電波を取得し、取得した周波数の電波にマッピングされている検出用信号を検出する。
【００６２】
端末装置１００は、検出した検出用信号を送信する全ての基地局装置２００に対して受信品質を測定したか否かを判定する（Ｓ１０４２）。
【００６３】
全ての基地局装置２００に対して測定していない場合（Ｓ１０４２のＮｏ）、端末装置１００は、検出した検出用信号の受信電力が、電力閾値（第１閾値）以上かどうかを判定する（Ｓ１０４３）。受信電力は、基地局装置２００が送信する測定用信号を受信する受信電力であり、例えば、ＬＴＥの通信システムにおけるＲＳＲＰ（Reference Signal Received Power）である。電力閾値は、例えば、端末装置１００が基地局装置２００と通信を行うことが可能な電力の最小値である。
【００６４】
端末装置１００は、受信電力が電力閾値以上である場合（Ｓ１０４３のＹｅｓ）、検出した検出用信号の干渉度合いが干渉閾値（第２閾値）以下かどうかを判定する（Ｓ１０４４）。干渉度合いは、受信した検出用信号にどれくらい干渉が発生しているかという度合いであり、例えば、ＳＩＮＲ（Signal-to-Interference plus Noise power Ratio）である。ＳＩＮＲは、信号対干渉雑音電力比であり、数値が高いほど、干渉度合いが低いことを示す。また、干渉閾値は、例えば、当該周波数の電波を通信に使用できる最小値である。
【００６５】
端末装置１００は、干渉度合いが干渉閾値以下である場合（Ｓ１０４４のＹｅｓ）、当該検出用信号を送信した基地局装置２００の識別子と、検出用信号の受信電力とを含めた基地局情報を生成する（Ｓ１０４５）。
【００６６】
このように、端末装置は、全ての検出用信号に対して受信品質が基準値以上であるかどうかの判定（Ｓ１０４３、Ｓ１０４４）を行う（Ｓ１０４２のＹｅｓ）。これにより、端末装置１００は、検出用信号の受信品質が基準値以上（受信電力が電力閾値以上、かつ干渉度合いが干渉閾値以下）である基地局装置２００の測定結果を含む基地局情報を生成する（Ｓ１０４５）。生成した基地局情報には、受信品質が基準値以上である検出用信号の測定結果である受信電力と、当該検出用信号を送信した基地局装置２００の識別子が含まれる。
【００６７】
そして、端末装置１００は、生成した基地局情報を、基地局情報報告として、基地局装置２００を経由して制御装置３００に送信する（Ｓ１０４６）。
【００６８】
なお、端末装置１００は、検出用信号の受信電力が電力閾値以上ではない場合（Ｓ１０４３のＮｏ）、及び検出用信号の検証度合が干渉閾値より大きい場合（Ｓ１０４４のＮｏ）、基地局情報に当該基地局装置の識別子と受信電力を含めない。
【００６９】
図５のシーケンスに戻り、端末装置１００−１，２は、接続中基地局装置を介して、基地局情報報告を制御装置３００に送信する（Ｓ１０５−１，２）。制御装置３００は、端末装置１００から基地局情報報告を受信すると、基地局情報が所定の条件を満たすかどうかを判定する再取得判定処理を実行する（Ｓ１０６）。制御装置３００は、基地局情報が所定の条件を満たさない場合、基地局情報の再取得が必要であると判定する。
【００７０】
図５のシーケンスにおける再取得判定処理の所定の条件（Ｓ１０６）は、取得した基地局情報に、隣接基地局装置の測定結果が含まれない端末装置が存在しないことである。すなわち、制御装置３００は、ある端末装置から受信した基地局情報に、接続中基地局装置の測定結果しか含まれない場合、所定の条件を満たさないと判定する。
【００７１】
ここで、基地局情報に隣接基地局装置の情報が含まれない場合の、端末装置１００の位置について説明する。図７は、端末装置１００と、セルＡ２００−１，２との位置関係の例を示す図である。
【００７２】
図７（Ａ）の端末装置１００−１は、接続中基地局装置２００−１の有するセルＡ２００−１内であるが、隣接基地局装置２００−２の有するセルＡ２００−２内ではないエリア（以降、第１エリアと呼ぶ）に位置する。端末装置１００−１は、検出用信号を測定すると、接続中の基地局装置２００−１が送信する検出用信号は電力閾値以上で受信することができるが、隣接セルの基地局装置２００−２が送信する検出用信号は、遠距離が故に電力閾値以上で受信することができない。よって、基地局装置２００−２が送信する検出用信号の受信品質は基準値より低いため、基地局情報に基地局装置２００−２の測定結果は含まれない。
【００７３】
一方、第１エリアでは、他の基地局装置が送信する電波による干渉が発生しないため、端末装置１００−１における干渉度合いは干渉閾値以下である。よって、基地局装置２００−１が送信する検出用信号は、受信電力が基準電力以上かつ干渉度合いが干渉閾値以下、すなわち、受信品質が基準値以上となるため、基地局情報には基地局装置２００−１の測定結果が含まれる。
【００７４】
また、図７（Ｂ）の端末装置１００−３は、接続中基地局装置２００−１の有するセルＡ２００−１と、隣接基地局装置２００−２の有するセルＡ２００−２の重複したエリア（以降、第２エリアと呼ぶ）に位置する。端末装置１００−３は、検出用信号を測定すると、基地局装置２００−１及び２００−２が送信する検出用信号を電力閾値以上で受信することができる。
【００７５】
しかし、第２エリアは、両基地局装置が送信する電波による干渉が発生するため、端末装置１００−３における干渉度合いは干渉閾値より高い場合がある。これは、例えば、セルＡ２００−２に位置する多くの端末装置が、基地局装置２００−２と接続中又は通信中であり、第２エリアに多くの電波が到達している場合である。
【００７６】
これにより、基地局装置２００−２が送信する検出用信号の受信品質は、基準値より低くなり、基地局情報に基地局装置２００−２の測定結果は含まれない。
【００７７】
なお、基地局装置２００−１の送信する検出用信号にも干渉が発生している可能性もあるが、端末装置１００は基地局装置２００−１と接続中であるため、干渉度合いは干渉閾値以下であると考えられる。なぜなら、端末装置は、一般に受信品質が良好な基地局装置と接続するからである。よって、基地局情報に基地局装置２００−１の測定結果は含まれる。
【００７８】
このように、基地局情報に隣接基地局情報が含まれない場合とは、端末装置１００−１が第１エリアに位置する場合と、端末装置１００−３が第２エリアに位置し、なおかつ隣接基地局装置が送信する検出用信号に干渉が発生している場合である。なお、端末装置１００−３は複数の基地局装置のセルが重複したエリアに位置するが、図１の端末装置１００−２とは状況が異なるため、取得できる基地局情報も異なる。
【００７９】
上述したように、所定の条件を満たさない場合、すなわち、基地局情報に隣接基地局装置の情報が含まれない端末装置は、第１エリア又は第２エリアに位置する。そこで、制御装置３００は、端末装置が第１又は第２エリアのどちらに位置するかを特定するために、品質向上処理を実行して、当該端末装置の基地局情報の再取得が必要であると判定する。制御装置３００が、後述する品質向上処理を実行することで、第２エリアに位置する端末装置１００−３は、隣接エリアＡ２００−２の基地局装置（隣接基地局装置）２００−２の検出用信号を基準値より高い受信品質で受信しやすくなる。一方、第１エリアに位置する端末装置１００−１は、品質向上処理の結果、第２エリアに位置するようになるが、電波の干渉により隣接基地局装置２００−２の検出用信号を基準値以上の受信品質で受信できないことが予測される。これにより、制御装置３００は、品質向上処理実行後の基地局情報の再取得で隣接基地局装置の測定結果を取得できた端末装置は第２エリアに位置すると判定することができる。一方、制御装置３００は、品質向上処理実行後の基地局情報の再取得で隣接基地局装置の測定結果を取得でなかった端末装置は、第１エリアに位置すると判定することができる。
【００８０】
なお、図５のシーケンスにおける再取得判定処理の所定の条件（Ｓ１０６）は、取得した基地局情報に含まれる隣接基地局装置の数が基準数以上であることとしてもよい。端末装置の位置の判定は、基地局情報に含まれる基地局装置の数が多いほど精度が上昇するため、制御装置３００は、より多くの基地局装置の測定結果を取得することが好ましい。
【００８１】
制御装置３００は、再取得判定処理（Ｓ１０６）の結果、基地局情報の再取得が必要であると判定すると（Ｓ１０６のＹｅｓ）、基地局情報に隣接基地局装置の測定結果が含まれるようにするため、検出用信号の受信品質を向上させる受信品質向上処理を実行させる。
【００８２】
図５は受信品質向上処理の対象を全ての基地局装置とする場合であり、制御装置３００は、受信品質向上処理を全ての基地局装置２００−１〜３に実行させるため、受信品質向上指示を基地局装置２００−１〜３に送信する（Ｓ１０７−１，２）。このとき、受信品質向上処理が、後述する割り当て停止処理である場合、全ての基地局装置２００に対して受信品質向上指示を送信する。一方、受信品質向上処理が後述する送信出力（電力）の増加処理である場合、隣接基地局装置だけを対象として受信品質向上指示を送信する。
【００８３】
基地局装置２００は、受信品質向上指示を受信すると、受信した受信品質向上指示に応じて、受信品質向上処理を実行する（Ｓ１０８）。受信品質向上処理の処理内容については後述する。そして、基地局装置２００(例えば、基地局装置２００−１)は、接続中の端末装置が、基地局情報を再取得する対象の端末装置である場合、接続中の端末装置（例えば、端末装置１００−１）に対して基地局情報報告指示を送信する（Ｓ１０９）。
【００８４】
基地局情報報告指示が送信される端末装置１００−１は、再取得判定処理（Ｓ１０６）で基地局情報の再取得が必要であると判定された端末装置である。しかし、受信品質向上処理（Ｓ１０８）の実行により、検出用信号の受信品質が向上するため、再取得が必要でないと判定された端末装置（例えば、図１の端末装置１００−２）でも、より多くの隣接基地局装置の測定結果が得られる可能性がある。前述の通り、端末装置の位置の判定では、隣接基地局装置の測定結果が多いほど端末装置の位置の精度が向上する。そこで、基地局情報報告指示が送信される端末装置は、再取得判定処理（Ｓ１０６）で基地局情報の再取得が必要であると判定された端末装置だけではなく、全ての端末装置としてもよい。
【００８５】
なお、図５のシーケンスにおいては、基地局装置２００が基地局情報報告指示を送信しているが、工程Ｓ１０３のように、制御装置３００が基地局情報報告指示を、基地局装置を経由して送信してもよい。特に、基地局情報報告指示の送信対象の端末装置が、再取得判定処理（Ｓ１０６）で基地局情報の再取得が必要であると判定された端末装置である場合、再取得判定処理の判定結果を認識している制御装置３００が送信することが好ましい。
【００８６】
そして、端末装置１００−１は、基地局情報報告指示を受信すると、基地局情報報告処理（Ｓ１０４）を実行する。端末装置１００−１は、制御装置３００に基地局情報報告を送信する（Ｓ１１０）。制御装置３００は、基地局情報報告を受信し、基地局情報を再取得する。
【００８７】
このように、第１の実施の形態における基地局情報取得処理では、受信した基地局情報に隣接基地局装置の測定結果が含まれない場合、検出用信号の受信品質を向上させるよう基地局装置を制御した後、基地局情報を再取得する。これにより、端末装置での検出用信号の受信品質の向上により、隣接基地局装置の検出用信号の受信品質が基準値以上となる端末装置が増加する。すなわち、制御装置３００は、より多くの隣接基地局装置の測定結果を、端末装置から取得することができる。
【００８８】
＜２．受信品質向上処理＞
受信品質向上処理について説明する。受信品質向上処理は、隣接基地局装置が送信する検出用信号の受信品質を向上させる処理である。受信品質向上処理の例として、以下に２つの処理を示し、それぞれについて説明する。
【００８９】
＜２．１  割り当て停止処理＞  
図８は、受信品質向上処理の割り当て停止処理の処理フローチャートの例を示す図である。割り当て停止処理は、基地局装置が、端末装置に送信するデータチャネルをマッピングする周波数を、検出用信号がマッピングされる周波数に割り当てないようにする処理である。
【００９０】
図５で述べたように、受信品質向上処理として割り当て停止処理を実行する場合、全ての基地局装置に対して受信品質向上指示を送信する。そのため、割り当て停止処理が、接続中基地局装置及び隣接基地局装置で実行される。
【００９１】
以下、図８を用いて、割り当て停止処理について説明する。
【００９２】
割り当て停止処理において、基地局装置２００は、検出用信号がマッピングされる周波数リソースに、すでにデータチャネルを割当済であるかどうかを確認する（Ｓ１０８１１）。基地局装置２００は、すでにデータチャネルを割当済である場合（Ｓ１０８１１のＹｅｓ）、データチャネルに割当済みの周波数を変更する（Ｓ１０８１２）。
【００９３】
このとき変更する周波数は、検出用信号がマッピングされる周波数以外であれば、どの周波数であってもよい。これにより、すでに検出用信号の周波数リソースにマッピングされているデータチャネルは、検出用信号がマッピングされる周波数以外の周波数に移行する。そして、新たなデータチャネルは、検出用信号がマッピングされる周波数リソースに割り当てられることを回避される。なお、基地局装置２００は、すでにデータチャネルを割当済でない場合（Ｓ１０８１１のＮｏ）、データチャネルに割当済みの周波数を変更する処理（Ｓ１０８１２）を行わない。
【００９４】
次に、基地局装置２００は、検出用信号がマッピングされる周波数に対して、データチャネルの割り当てを停止する（Ｓ１０８１３）。すなわち、基地局装置２００は、受信品質向上処理を実行中は、検出用信号がマッピングされる周波数に、データチャネルなどの他の信号がマッピングされないよう制御する。例えば、通信システム１０が準ずる通信規格によっては、制御信号はマッピングされる周波数があらかじめ決められており、制御信号の割り当てを停止することができない場合がある。この場合、基地局装置２００は、基地局装置が割り当てすることができるデータチャネルに対して、割り当てを停止する。
【００９５】
図９は、端末装置１００−３が受信する無線リソースの例を示す図である。図９の無線リソースは、横軸を時間方向、縦軸を周波数方向として図示する。周波数ｆｃは、検出用信号がマッピングされる周波数の中心周波数である。また、点線で囲まれた領域それぞれをリソースブロックと呼び、複数のリソースブロックの集合をリソースブロック群と呼ぶ。
【００９６】
図９左側は、受信品質向上処理実行前を示し、接続中基地局装置が送信する検出用信号は、リソースブロック群ＲＢ１１にマッピングされる。そして、リソースブロック群ＲＢ１１以外のリソースブロックには、データチャネルがマッピングされる。同様に、隣接基地局装置から送信される検出用信号は、リソースブロック群ＲＢ１２にマッピングされ、リソースブロック群ＲＢ１２以外のリソースブロックは、データチャネルがマッピングされる。
【００９７】
ここで、通信システム１０が、例えば、上りと下りで異なる周波数帯域を用いるＦＤＤ（Frequency Division Duplex）の場合、基地局装置間の時間同期を実行せず、検出用信号の時間方向のタイミングが同一タイミングとはならない。そのため、端末装置は、図９に示すように、ずれたタイミング（ＲＢ１１、ＲＢ１２）で各検出用信号を受信する。
【００９８】
そのため、受信品質向上処理実行前は、接続中基地局装置２００−１がリソースブロック群ＲＢ１２にマッピングしたデータチャネルが、隣接基地局装置２００−２がリソースブロック群ＲＢ１２とマッピングした検出用信号に干渉する。この場合、端末装置は、発生する干渉の度合いによっては、隣接基地局装置の検出用信号を基準値以上の受信品質で受信できない。
【００９９】
図９右側は、受信品質向上処理実行後を示し、基地局装置２００は、検出用信号がマッピングされるリソースブロック群ＲＢ１１及びＲＢ１２を含む、斜線で示した周波数ｆｃを中心とするリソースブロック群ＲＢ１３に対する、データチャネルの割り当てを停止する。すなわち、接続中基地局装置及び隣接基地局装置は、検出用信号がマッピングされるリソースブロック群ＲＢ１１及びＲＢ１２に、検出用信号以外のデータチャネルをマッピングしないよう制御する。
【０１００】
これにより、接続中基地局装置のリソースブロック群ＲＢ１２にはデータチャネルがマッピングされないため、同じリソースブロック群ＲＢ１２にマッピングされる隣接基地局装置の検出用信号に干渉が発生しない。そのため、端末装置１００−３は、隣接基地局装置の検出用信号を基準値以上の受信品質で受信することができる。
【０１０１】
図８の処理フローチャートに戻り、基地局装置２００は、基地局情報の再取得の対象となる端末装置に対して、基地局情報報告指示を送信する（Ｓ１０８１４）。そして、基地局装置２００は、基地局情報報告指示を送信した端末装置から、基地局情報報告を受信し（Ｓ１０８１５のＹｅｓ）、制御装置３００に基地局情報報告を送信する（Ｓ１０８１６）。基地局装置２００は、基地局情報報告を受信しない場合（Ｓ１０８１５のＮｏ）、基地局情報報告を受信するまで待ち受ける。なお、基地局装置２００は、一定時間が経過しても基地局情報報告を受信しない場合、処理Ｓ１０８１７の処理を行い、処理を終了する。
【０１０２】
基地局装置２００は、基地局情報を制御装置３００に送信したのち、検出用信号がマッピングされる周波数に対するデータチャネルの割り当てを再開する（Ｓ１０８１７）。
【０１０３】
なお、割り当て停止処理を実行する基地局装置は、全基地局装置ではなく、例えば、多数の端末装置が接続中の基地局装置や、ダウンリンクの送信データ量が多い基地局装置に限定してもよい。これらの基地局装置は、データチャネルとしてマッピングされるデータ量が多く、検出用信号がマッピングされる周波数にもデータチャネルが割り当てられる確率が高い。よって、割り当て停止処理を実行しなくても検出用信号がマッピングされるリソースブロックにデータチャネルが割り当てられる確率が低い基地局装置を、割り当て停止処理の対象外とすることで、当該基地局装置による余分な処理を防止する。
【０１０４】
このように、割り当て停止処理は、検出用信号がマッピングされる周波数にデータチャネルを割り当てることを停止することで、他の基地局装置が送信する検出用信号に干渉が発生することを防止する。図７（Ｂ）の第２エリアに位置する端末装置１００−３のように、受信電力は電力閾値以上であるが、干渉度合いが干渉閾値より大きいため受信品質が基準値以下である場合、割り当て停止処理は、受信電力を低下させずに干渉度合いだけを低下させることができる。これにより、図７（Ｂ）の第２エリアに位置する端末装置１００−３が、隣接基地局装置の検出用信号を基準値以上の受信品質で受信できる確率が向上し、基地局情報に隣接基地局装置の測定結果が含まれる確率が向上する。
【０１０５】
＜２．２  送信電力増加処理＞
図１０は、受信品質向上処理の送信電力増加処理の処理フローチャートの例を示す図である。送信電力増加処理は、基地局装置が送信する検出用信号の送信出力を増加させる処理である。送信電力増加処理の対象基地局装置は、隣接基地局装置である。以下、図１０を用いて、送信出力増加処理について説明する。
【０１０６】
送信電力増加処理において、基地局装置２００は、検出用信号の送信出力を上げる（Ｓ１０８２１）。これにより、端末装置１００が基準値以上の受信電力で検出用信号を受信できる範囲（以降、検出用信号受信エリアと呼ぶ）が拡張する。
【０１０７】
図１１は、隣接基地局装置の送信電力増加処理の実行前後における、端末装置１００−４と検出用信号受信エリアの関係の例を示す図である。端末装置１００−４は、送信電力増加処理の実行前、検出用信号受信エリアＤＡ２００−１と検出用信号受信エリアＤＡ２００−２−１の重複するエリアに位置する。
【０１０８】
図１１において、基地局装置２００−２の検出用信号受信エリアは、送信電力増加処理の実行後、検出用信号受信エリアＤＡ２００−２−１から検出用信号受信エリアＤＡ２００−２−２に拡大する。端末装置１００−４の基地局装置２００−２が送信する検出用信号の受信電力は、送信電力増加処理の実行前より高くなっている。従って、端末装置１００−４における基地局装置２００−２の検出用信号の受信品質は、受信電力が高くなることにより、干渉度合いが干渉閾値以下まで低下した場合、基準値以上の受信品質となる。この場合、端末装置１００−４は、隣接基地局装置である基地局装置２００−２の検出用信号の測定結果を、基地局情報に含める。
【０１０９】
図１２は、隣接基地局装置の送信電力増加処理の実行前後における、端末装置１００−５と検出用信号受信エリアの関係の例を示す図である。端末装置１００−５は、送信電力増加処理の実行前、検出用信号受信エリアＤＡ２００−１内ではあるが、検出用信号受信エリアＤＡ２００−２−１内ではないエリアに位置する。
【０１１０】
図１２において、隣接基地局装置２００−２の検出用信号受信エリアは、送信電力増加処理の実行後、検出用信号受信エリアＤＡ２００−２−１から検出用信号受信エリアＤＡ２００−２−２に拡大する。端末装置１００−５は、実行前には受信電力が低く受信できなかった基地局装置２００−２の検出用信号を、電力閾値以上の受信電力で受信することができる。そして、干渉度合いが干渉閾値より低ければ、端末装置１００−５は、基地局装置２００−２の検出用信号を基準値以上の受信品質で受信する。この場合、端末装置１００−５は、隣接基地局装置２００−２の検出用信号の測定結果を、基地局情報に含める。
【０１１１】
図１１、１２においては、検出用信号受信エリアとセルは異なるエリアである。すなわち、制御装置３００が実行する送信電力増加処理は、検出用信号受信エリアは拡張するが、セルは拡張しない処理である。これにより、例えば、セルを拡張することによるハンドオーバの発生などを抑制することができる。なお、例えば、ハンドオーバを他の処理で抑制できる場合や、ハンドオーバが発生してもよい場合などにおいては、検出用信号受信エリアとセルは同一のエリアであってもよい。
【０１１２】
図１０の処理フローチャートに戻り、基地局装置２００は、基地局情報の再取得の対象となる端末装置に対して、基地局情報指示を送信する（Ｓ１０８２２）。そして、基地局装置２００は、基地局情報指示を送信した端末装置から、基地局情報報告を受信し（Ｓ１０８２３のＹｅｓ）、制御装置３００に基地局情報報告を送信する（Ｓ１０８２４）。そして、基地局装置２００は、基地局情報を制御装置３００に送信したのち、検出用信号の送信主力を、送信電力増加処理を実行する前の送信出力に戻す（Ｓ１０８２５）。なお、基地局装置２００は、基地局情報報告を受信しない場合（Ｓ１０８２３のＮｏ）、基地局情報報告を受信するまで待ち受ける。
【０１１３】
送信電力増加処理では、隣接基地局装置の検出用信号の送信出力を増加させることで、第２エリアに位置する端末装置１００−３における、検出用信号の干渉度合いの低下や、第１エリアに位置する端末装置１００−１における、検出用信号の受信電力の上昇を実行する。これにより、隣接基地局装置の検出用信号を基準値以上で受信する端末装置が増加する確率が向上し、基地局情報に隣接基地局装置の測定結果が含まれる確率が向上する。
【０１１４】
＜３．受信電力推定処理＞
図５のシーケンスに戻り、受信電力推定処理について説明する。
【０１１５】
制御装置３００は、基地局情報報告を受信すると（Ｓ１１０）、工程Ｓ１０６と同様の再取得判定処理（Ｓ１１１）を実行する。但し、制御装置３００は、再取得が必要であると判定しても（Ｓ１１１のＹｅｓ）、基地局情報の再取得を行わない。再取得を行わない理由は、すでに品質向上処理の実行し、再取得を行っているためである。そこで、制御装置３００は、再取得が必要であると判定した場合（Ｓ１１１のＹｅｓ）、受信電力推定処理（Ｓ１１２）を実行する。
【０１１６】
受信電力推定処理は、取得できなかった隣接基地局装置の測定結果（受信電力）を推定する処理である。制御装置３００は、受信品質向上処理を実行したにもかかわらず、隣接基地局装置の測定結果を得られないことから、第１エリア(図７（Ａ）)内に端末装置が位置すると判定する。
【０１１７】
端末装置１００が、第１エリア内でも接続中基地局装置のセルの中央付近に位置する場合、接続中基地局装置の送信する検出用信号の受信電力が非常に大きい。そのため、隣接基地局装置の送信出力を上げてセルサイズを拡大しても、端末装置での干渉や、隣接基地局装置へのハンドオーバなどが発生する可能性は低い。すなわち、このようなセル中央付近に位置する端末装置１００は、隣接基地局装置のセルサイズ変更による影響が少ない。
【０１１８】
しかし、端末装置１００が、第１エリア内でも接続中基地局装置のセル内の端部に位置する場合、隣接基地局装置のセルを拡大すると、端末装置での干渉や、隣接基地局装置へのハンドオーバが発生する可能性が大きい。従って、制御装置３００は、セル端に位置する端末装置１００が存在すると、端末装置１００に対する影響を考慮して、隣接基地局装置のセルサイズを決定する必要がある。
【０１１９】
そこで、制御装置３００は、端末装置１００が、第１エリアと第２エリアの境界、すなわち、接続中基地局装置のセル内であって隣接基地装置のセル端付近に位置すると仮定し、端末装置１００の隣接基地局装置の検出用信号の受信電力を推定する。この仮定に基づいて端末装置の受信電力を推定し、推定した受信電力に基づいて基地局装置の送信制御を行うことにより、少なくとも、隣接セルサイズの影響を大きく受ける位置の端末装置の状態を改善することが期待できる。このように、受信電力推定処理では、第１エリア内のどこに存在するかが不明である端末装置は、隣接セルサイズの変更の影響が大きい場所（第１エリア内かつ隣接セル端近傍の位置）に位置すると安全サイドに仮定する。
【０１２０】
受信電力推定処理は、例えば、電力閾値に基づき算出する処理（以下、電力閾値推定処理と呼ぶ）と、接続中基地局装置の検出用信号の受信電力から算出する処理（自セル推定処理）がある。
【０１２１】
＜３．１  電力閾値推定処理＞
電力閾値推定処理は、端末装置が隣接セルの端付近に位置すると仮定し、端末装置の受信電力は隣接基地局装置の検出用信号の電力閾値であると推定する処理である。第１エリアに位置する端末装置は、隣接基地局装置のセルの外に位置するため、隣接基地局装置の検出用信号の受信電力は電力閾値より小さい。一方、隣接基地局装置のセルとの境界に位置する端末装置の受信電力は、受信電力の最小値である電力閾値となる。よって、制御装置３００は、隣接基地局装置の検出用信号の受信電力を、受信電力として取りうる最小値である電力閾値であると推定する。
【０１２２】
検出用信号は、例えば、基地局装置の送信する電波と同期をとるための同期信号である。検出用信号が同期信号である場合、端末装置は、同期信号を探索し、探索の結果として受信した同期信号の受信電力を測定する。端末装置は、測定した同期信号の受信電力を、検出用信号の受信電力とする。
【０１２３】
また、検出用信号は、例えば、受信品質を測定するための参照信号である。検出用信号が参照信号である場合、端末装置は、同期信号を探索し、探索の結果として受信した同期信号に基づき、同期信号を送信した基地局装置の送信する電波と同期をとる。そして、端末装置は、同期をとった電波から参照信号を抽出し、受信した参照信号の受信電力を測定する。端末装置は、測定した参照信号の受信電力を、検出用信号の受信電力とする。
【０１２４】
さらに、検出用信号が参照信号である場合、参照信号の受信電力を測定せずに、同期信号の受信電力から、検出用信号の受信電力を算出（推定）してもよい。基地局装置は、参照信号と同期信号とを、それぞれ異なる送信電力で送信している場合がある。この場合、制御装置は、参照信号及び同期信号の送信電力の差異を、参照信号及び同期信号の受信電力の差異と推定することで、同期信号の受信電力から参照信号の受信電力を算出する。
【０１２５】
端末装置が同期信号の受信電力を基地局情報として送信する場合、制御装置は、受信した同期信号の受信電力から参照信号の受信電力を算出する。制御装置は、基地局装置における同期信号の送信電力から参照信号の送信電力を減じた差分電力値を算出し、受信した同期信号の受信電力から算出した差分電力値を減じた電力値を、参照信号の受信電力として算出する。なお、同期信号の受信電力から参照信号の受信電力を算出する処理は、端末装置で実行されてもよい。
【０１２６】
制御装置３００は、電力閾値推定処理において、検出用信号が参照信号であり、端末装置の測定対象となる信号が同期信号である場合、上述した差分電力値を電力閾値から減じた電力値を、検出用信号の受信電力と推定する。
【０１２７】
＜３．２  自セル推定処理＞
自セル推定処理は、接続中基地局装置の検出用信号の受信電力から、隣接基地局装置の検出用信号の受信電力を推定する処理である。
【０１２８】
第１に、制御装置３００は、接続中基地局装置の受信電力よりも隣接基地局装置の受信電力のほうが低いため、予め決めた固定値を接続中基地局装置の受信電力から減じた数値を、隣接基地局装置の受信電力と推定する。固定値は、隣接基地局装置の検出用信号の受信電力の推定値が、電力閾値より大きくならない範囲内で、十分に大きい数値であればよい。固定値は、例えば、実験やシミュレーションによって取得したデータから算出し、予めプログラムに埋め込まれる。
【０１２９】
また、第２に、制御装置３００が、例えば、通信システムの運用を開始したときから、基地局情報に隣接基地局装置が含まれる場合の、接続中基地局装置と隣接基地局装置の受信電力差を記憶しておき、記憶した受信電力差の最大値を、固定値として使用してもよい。受信電力差の最大値を固定値として減じることは、端末装置が隣接基地局装置からの受信電力が最少である場所、すなわち、隣接基地局装置のセル端に位置するという仮定に基づくものである。そこで、制御装置３００は、記憶した受信電力差の最大値を固定値として使用することで、端末装置が隣接基地局装置のセル端に位置すると仮定した場合の、隣接基地局装置の検出用信号の受信電力を推定することができる。
【０１３０】
電力閾値推定処理は、固定値を使用した推定方法であるため、推定における計算は単純であり、演算処理による制御装置３００の負荷は小さい。
【０１３１】
一方、自セル推定処理は、固定値を適切に設定することで、精度の高い推定を行うことができる。さらに、記憶した受信電力差の最大値を固定値として使用する場合、実際の通信システムにおける測定値に基づく値となり、より精度の高い推定を行うことができる。
【０１３２】
制御装置３００は、受信品質向上処理を実行しても、隣接基地局装置の測定結果が基地局情報に含まれない端末装置を、第１エリアに位置すると判定することができる。一方、受信品質向上処理を行わない場合、制御装置３００は、隣接基地局装置の測定結果が取得できない端末装置が第１エリアか第２エリアのどちらに位置するのか判定することができない。
【０１３３】
これに対し、第１の実施の形態では、制御装置３００は、受信品質向上処理によって、第２エリアに位置する端末装置から隣接基地局装置の測定結果を取得する。よって、制御装置３００は、受信品質向上処理を実行しても隣接基地局装置の測定結果が得られない端末装置は、第１エリアに位置すると判定することができる。
【０１３４】
従って、制御装置３００は、隣接基地局装置の測定結果が取得できない端末装置が第２エリアに位置する可能性を排除して端末装置の位置を推定することができ、より精度が高い基地局装置の送信制御を実行することができる。
【０１３５】
＜４．基地局送信制御処理＞
図５のシーケンスに戻り、制御装置３００は、取得した基地局情報（Ｓ１０５、Ｓ１１０）に含まれる端末装置の受信電力、及び受信電力推定処理（Ｓ１１２）で推定した端末装置の受信電力に基づいて、基地局送信制御処理（Ｓ１１３）を実行する。
【０１３６】
図１３は、基地局送信制御処理の処理フローチャートの例を示す図である。基地局送信制御処理において、制御装置３００は、端末位置判定処理（Ｓ１１３１）を実行する。制御装置３００は、端末位置判定処理（Ｓ１１３１）において、全端末装置について、接続中基地局装置と隣接基地局装置との間のパスロスを計算する。
【０１３７】
パスロスは、基地局装置が送信した電波を、どれくらい減衰して端末装置が受信するかを示す数値であり、例えば、基地局装置が電波を送信する送信出力に対する、端末装置が電波を受信する受信電力の比率である。制御装置３００は、各端末装置と基地局装置のパスロスを算出することで、端末装置と基地局装置の電波的距離を推定し、端末装置の位置を推定することができる。
【０１３８】
次に、制御装置３００は、基地局装置の送信出力の全組み合わせを抽出する（Ｓ１１３２）。例えば、基地局装置の最小の送信出力から最大の送信出力までを１ｄＢ（デシベル：decibel）単位で変更し場合の全ての組み合わせを抽出する。
【０１３９】
制御装置３００は、抽出した全ての組み合わせを評価する（Ｓ１１３３）。制御装置３００は、抽出した組み合わせの送信電力となるよう基地局装置を制御したとき、各端末装置が第１エリア又は第２エリアのどちらに位置するのかを判定し、それぞれの端末装置における予測干渉度合い（例えば、ＳＩＮＲ）や、予測スループットに基づき、評価を行う。制御装置３００は、例えば、各端末装置の予測スループットの平均値を評価値とする。
【０１４０】
制御装置３００は、全組み合わせの評価から、最高評価の組み合わせを選択する（Ｓ１１３４）。制御装置３００は、例えば、各端末装置の予測スループットの平均値が、最も高い組み合わせを最高評価の組み合わせとして選択する。
【０１４１】
そして、制御装置３００は、選択した組み合わせの送信出力となるよう、各基地局装置の送信出力を制御し（Ｓ１１３５）、基地局装置の送信出力を増減させる。
【０１４２】
このように、制御装置３００は、取得した基地局装置の測定結果、及び推定した受信電力に基づき、端末装置の位置を判定する。そして、制御装置３００は、判定した端末装置の位置に基づき、セルサイズを決定し、基地局装置の送信出力を制御する。第１の実施の形態によれば、制御装置３００は、受信品質向上処理を行って隣接基地局装置の測定結果を取得する端末装置を増加させる。これにより、制御装置３００は、基地局送信制御処理において、接続中基地局装置のセル端に位置する端末装置から隣接基地局情報に基づいて、適切なセルサイズとなるよう基地局装置の送信出力を制御することができる。
【０１４３】
また、制御装置３００は、受信電力推定処理において、隣接基地局情報を取得できない端末装置が、隣接基地局装置のセルサイズの影響を大きく受ける場所に位置すると推定することで、これらの端末装置も考慮したセルサイズを決定することができる。
【０１４４】
［第２の実施の形態］
第２の実施の形態では、制御装置は、基地局情報に隣接基地局装置の測定結果が含まれず、接続中基地局装置の受信電力が基準電力より高いという条件を満たさない場合、受信品質向上処理を行う。接続中基地局装置の受信電力が基準電力より高いことは、例えば、端末装置が接続中基地局装置の近傍に位置し、セル端（通信エリア端）には位置しないということを示す。一方、端末装置がセル端ではなく、セルの中心付近（接続中基地局装置の近傍）に位置する場合は、制御装置は、品質向上処理及び再取得処理を行わない。
【０１４５】
なお、第２の実施の形態における制御装置、基地局装置、端末装置の構成例は、第１の実施の形態と同様である。
【０１４６】
＜基地局情報取得処理＞
図１４は、基地局制御処理のシーケンスの例を示す図である。以下、図１４を用いて、基地局制御処理における基地局情報取得処理について説明する。なお、基地局装置２００−１，３及び端末装置１００−２は省略する。
【０１４７】
制御装置３００が、送信電力報告指示を送信してから（Ｓ１０１）、受信した基地局情報に隣接基地局装置の測定結果が含まれない端末装置があるかどうかを判定する（Ｓ１０６）までは、図５のシーケンスと同様である。
【０１４８】
制御装置３００は、受信した基地局情報に隣接基地局装置の測定結果が含まれない端末装置があると判定すると（Ｓ１０６のＹｅｓ）、さらに、当該端末装置は接続中基地局装置のセルの端に位置するかどうかを判定する（Ｓ２０１）。制御装置３００は、例えば、基地局情報の接続中基地局の受信電力が、基準電力より小さい場合、当該端末装置はセル端に位置すると判定する。基準電力は、接続中基地局装置の近傍かセル端かの境界位置での受信電力であり、例えば、基地局装置から所定距離（または電波的距離）離れた場所に端末装置が位置するときの、接続中基地局装置の検出用信号の端末装置における受信電力である。基準電力は、端末装置が接続中基地局装置の通信エリア内であり、接続中基地局装置の近傍、すなわち、接続中基地局装置から所定距離以上離れた通信エリア端ではない場所に位置することを示す電力である。
【０１４９】
また、制御装置３００は、例えば、接続中基地局装置のＲＳＲＱ（Reference Signal Received Quality）やＣＱＩ（Channel Quality Indicator）など、接続中基地局装置の送信する電波をどれくらいの品質で端末装置が受信できるかを示す品質指標を取得してもよい。制御装置３００は、取得した品質指標の値が基準品質より低い場合、当該端末装置はセルの端に位置すると判定する。さらに、制御装置３００は、接続中基地局装置の受信電力、及び取得した品質指標の両方に基づき、受信電力が基準電力より小さく、かつ取得した品質指標の値が基準品質より低い場合、端末装置はセルの端に位置すると判定してもよい。
【０１５０】
そして、制御装置３００は、端末装置がセル端に位置すると判定すると（Ｓ２０１のＹｅｓ）、受信品質向上指示を対象の基地局装置に送信する。
【０１５１】
一方、制御装置３００は、端末装置がセルの端に位置しないと判定すると（Ｓ２０１のＮｏ）、受信品質向上処理及び基地局情報の再取得を実行せずに、受信電力推定処理（Ｓ１１２）を実行する。以降の処理は、図５のシーケンスと同様である。
【０１５２】
このように、第２の実施の形態では、隣接基地局装置の測定結果を含まない基地局情報を送信する端末装置の位置が、接続中基地局装置のセルの端に位置しない場合、受信品質向上処理を実行せず、基地局情報の再取得を行わない。
【０１５３】
端末装置が接続中基地局装置のセルの端に位置しないということは、端末装置が接続中基地局の中心付近に位置するということを示し、端末装置は隣接基地局装置のセルが重複しない第１エリアに位置する確率が高い。この場合、受信品質向上処理を実行し、隣接基地局装置の検出用信号の干渉度合いが低下しても、端末装置が基準値以上の受信品質で検出用信号を受信できる確率が低い。そのため、受信品質向上処理を実行せず、受信済の基地局情報に基づき、受信電力の推定や基地局送信制御処理を行うことで、受信品質向上処理を実行することによる一時的なリソースの減少や干渉の増大を防止することができる。
【０１５４】
［第３の実施の形態］
第３の実施の形態では、受信品質向上処理として、割り当て停止処理と、送信出力増加処理とを含む。制御装置は、基地局情報が所定の条件を満たさない場合、まず先に割り当て停止処理を実行し、端末装置から基地局情報を再度受信し、再度受信した基地局情報が所定の条件を満たさない場合、送信出力増加処理を実行する。
【０１５５】
＜制御装置の構成例＞
図１５は、制御装置３００の構成例を示す図である。制御装置３００のストレージ３２０には、受信品質向上制御プログラム３２２を記憶する。受信品質向上制御プログラム３２２は、割り当て停止処理モジュール３２２１及び送信出力増加処理モジュール３２２２を有する。
【０１５６】
ＣＰＵ３１０は、受信品質向上制御プログラム３２２を実行することで、制御部を構築し、受信品質向上制御処理を実現する。受信品質向上制御処理は、隣接基地局装置の検出用信号の受信品質を向上させる処理を、基地局装置に実行させる処理である。制御装置３００は、受信品質向上制御処理において、割り当て停止処理と送信出力処理を切り替えて、基地局装置に実行させる。制御装置３００は、基地局情報の再取得を実行済みでない場合、割り当て停止処理を実行させ、基地局情報の再取得を実行済みである場合、送信出力増加処理を実行させる。制御装置３００は、基地局情報の再取得を実行済みあるかどうかを内部メモリに記憶し、管理する。
【０１５７】
＜基地局装置の構成例＞
図１６は、基地局装置２００の構成例を示す図である。基地局装置２００のストレージ２２０には、受信品質向上プログラム２２１を記憶する。受信品質向上プログラム２２１は、割り当て停止処理モジュール２２１１及び送信出力増加処理モジュール２２１２を有する。
【０１５８】
ＣＰＵ２１０は、受信品質向上プログラム２２１を実行することで、受信品質向上処理部を構築し、受信品質向上処理を実現する。受信品質向上処理は、制御装置３００の指示に応じて、割り当て停止処理、または送信出力増加処理を実行する。
【０１５９】
＜基地局情報取得処理＞
図１７は、基地局制御処理のシーケンスの例を示す図である。以下、図１７を用いて、基地局制御処理における基地局情報取得処理について説明する。なお、基地局装置２００−２，３及び端末装置１００−２は省略する。また、図５のシーケンスにおける送信電力報告指示の送信（Ｓ１０１）から、各基地局装置から送信電力報告を受信するまで（Ｓ１０２−２）までの処理については省略する。
【０１６０】
制御装置３００は、基地局情報報告を受信し（Ｓ１０５−１）、基地局情報を取得すると、再取得判定処理として、隣接基地局装置の測定結果ない端末装置があるかどうかを確認する（Ｓ１０６）。
【０１６１】
制御装置３００は、隣接基地局装置の測定結果ない端末装置がある場合（Ｓ１０６のＹｅｓ）、当該端末装置の基地局情報を再取得すると判定し、受信品質向上指示を基地局装置２００−１〜３に送信する（Ｓ３０１）。送信する受信品質向上指示は、基地局装置に割り当て停止処理を実行させるための指示である。基地局装置２００−１〜３は、受信品質向上指示を受信すると、受信品質向上処理を実行する（Ｓ１０８−１）。基地局装置が実行する受信品質向上処理は、制御装置３００に指示された割り当停止処理である。基地局装置２００−１〜３は、割り当て停止処理を実行し、基地局情報を再取得する対象の端末装置が接続中である場合、当該端末装置に基地局情報報告指示を送信する（Ｓ３０２）。
【０１６２】
端末装置１００−１は、基地局情報報告指示を受信すると、基地局情報報告処理（Ｓ１０４）を実行し、基地局情報報告を接続中基地局装置である基地局装置２００−１を介して、制御装置３００に送信する（Ｓ３０３）。
【０１６３】
制御装置３００は、基地局情報報告を受信し（Ｓ３０３）、基地局情報を再取得すると、２回目の再取得判定処理を実行し、隣接基地局装置の測定結果ない端末装置があるかどうかを確認する（Ｓ３０４）。
【０１６４】
制御装置３００は、隣接基地局装置の測定結果ない端末装置がある場合（Ｓ１０６のＹｅｓ）、当該端末装置の基地局情報を再々取得すると判定し、受信品質向上指示を基地局装置２００−１〜３に送信する（Ｓ３０７）。送信する受信品質向上指示は、基地局装置に送信出力増加処理を実行させるための指示である。基地局装置２００−１〜３は、受信品質向上指示を受信すると、受信品質向上処理を実行する（Ｓ１０８−２）。基地局装置が実行する受信品質向上処理は、制御装置３００に指示された送信出力増加処理である。基地局装置２００−１〜３は、送信出力増加処理を実行し、基地局情報を再々取得する対象の端末装置が接続中である場合、当該端末装置に基地局情報報告指示を送信する（Ｓ３０６）。
【０１６５】
端末装置１００−１は、基地局情報報告指示を受信すると、基地局情報報告処理（Ｓ１０４）を実行し、基地局情報報告を接続中基地局装置である基地局装置２００−１を介して、制御装置３００に送信する（Ｓ３０７）。
【０１６６】
制御装置３００は、基地局情報報告を受信し（Ｓ３０３）、基地局情報を再々取得すると、３回目の再取得判定処理を実行し、隣接基地局装置の測定結果ない端末装置があるかどうかを確認する（Ｓ３０８）。
【０１６７】
制御装置３００は、隣接基地局装置の測定結果ない端末装置がある場合（Ｓ３０８のＹｅｓ）、さらなる基地局情報の取得は実行せず、受信電力推定処理（Ｓ１１２）を実行し、基地局送信制御処理を実行する（Ｓ１１３）。
【０１６８】
第３の実施の形態では、制御装置３００は、隣接基地局装置の測定結果を取得できない端末装置がある場合、２回の受信品質向上処理及び基地局情報の取得を実行する。受信品質向上処理は、最初に割り当て停止処理を実行し、それでも隣接基地局装置の測定結果を取得できない場合、さらに送信出力増加処理を実行する。割り当て停止処理は、図７（Ａ）の第２エリアに位置する端末装置に対する検出用信号の干渉を軽減させ、端末装置の基地局情報に隣接基地局装置の測定結果を含むようにする処理である。割り当て停止処理を実行しても隣接基地局装置の測定結果を取得できない端末装置は、隣接基地局装置の測定結果が基地局情報に含まれない原因は、干渉度合いが干渉閾値より大きいことではなく、受信電力が電力閾値より小さいことであると想定される。そこで、制御装置３００は、送信出力増加処理を実行し、検出用信号の受信電力を上げることで、受信電力が電力閾値以上となるよう制御する。このようにすることで、割り当て停止処理の実行だけでは取得できなかった隣接基地局装置の測定結果が、送信電力増加処理を実行することで、より多くの隣接基地局装置の測定結果を取得できるようになる。
【０１６９】
なお、割り当て停止処理は、検出用信号を送信する周波数に、データチャネルを割り当てることを停止する処理であり、処理実行中は一部の周波数リソースをデータチャネルに使用できず、周波数リソースが少ない状態となる。一方、送信出力増加処理は、隣接基地局装置の検出用信号の送信出力を上げる処理であり、検出用信号の電波強度が上昇し、また検出用信号の到達する距離も増加するため、処理実行前は干渉が発生しなかった他の端末装置の通信に対して、干渉源となる可能性がある。
【０１７０】
割り当て停止処理は一時的にリソースが減少するだけで、他の通信中の端末装置にはほとんど影響がないが、送信出力増加処理は、他の端末装置の通信における新たな干渉源を増加させてしまう可能性がある。よって、送信出力増加処理を比較すると、割り当て停止処理の方は他の端末装置に与える影響が大きく、なるべく実行しないことが好ましい。
【０１７１】
よって、第３の実施の形態では、制御装置３００は、他の端末装置に対する影響が比較的小さい割り当て停止処理を先行して実行し、基地局情報を再取得する。そして、制御装置は、再取得でも隣接基地局装置の測定結果を取得できない場合、他の端末装置に対する影響が比較的大きい送信出力増加処理を実行し、基地局情報を再々取得する。
【０１７２】
制御装置３００は、影響が小さい割り当て停止処理をまず先に実行することで、端末装置への影響をできるだけ抑制して隣接基地局装置の測定結果の取得を試み、それでも取得できない場合だけ影響が大きい送信出力増加処理を実行する。これにより、品質向上処理を実行することによる端末装置への影響を抑制しつつ、隣接基地局装置の測定結果を取得しやすくする。
【０１７３】
以上の第１〜第３の実施の形態を含む実施形態に関し、更に以下の付記を開示する。
【０１７４】
（付記１）
複数の基地局装置と接続された制御装置において、
前記複数の基地局装置の送信処理を制御する制御部と、
前記複数の基地局装置のいずれかと通信する端末装置から送信される基地局情報であって、前記複数の基地局装置から送信される検出用信号のうち、前記端末装置において基準値以上の受信品質で受信した前記検出用信号の測定結果を含む基地局情報を受信する受信部とを有し、
前記制御部は、前記基地局情報が所定の条件を満たさない場合、前記端末装置が接続中の接続中基地局装置以外の基地局装置から送信される前記検出用信号の受信品質を向上させる制御を行う
制御装置。
【０１７５】
（付記２）
前記所定の条件は、前記基地局情報が前記接続中基地局装置以外の基地局装置の測定結果を含むことである
付記１記載の制御装置。
【０１７６】
（付記３）
前記所定の条件は、前記基地局情報が前記接続中基地局装置以外の基地局装置の測定結果を含むこと又は前記接続中基地局装置の検出用信号の受信電力が基準電力より高いこと、を含む
付記１記載の制御装置。
【０１７７】
（付記４）
前記基準電力は、前記端末装置が前記接続中基地局装置の通信エリア端ではない場所に位置することを示す受信電力である
付記３記載の制御装置。
【０１７８】
（付記５）
前記受信品質は、
前記端末装置における前記検出用信号の受信電力と、受信した前記検出用信号に発生する干渉の度合いとを含み、
前記受信電力が第１閾値以上であり、かつ前記干渉の度合いが第２閾値以下である場合、前記基準値以上となる
付記１記載の制御装置。
【０１７９】
（付記６）
前記測定結果は、前記基準値以上の受信品質で受信した検出用信号の受信電力、及び前記検出用信号を送信した基地局装置の識別子を含む
付記１記載の制御装置。
【０１８０】
（付記７）
前記制御部は、前記検出用信号の受信品質を向上させる制御を行った後、さらに、前記端末装置から基地局情報を再受信し、前記再受信した基地局情報に、前記接続中基地局装置以外の基地局装置の測定結果が含まれるか否かを判定する
付記２記載の制御装置。
【０１８１】
（付記８）
前記制御部は、前記再受信した基地局情報に、前記接続中基地局装置以外の基地局装置の測定結果が含まれる場合、前記接続中基地局装置の通信エリアと前記接続中基地局装置以外の基地局装置の通信エリアの重複エリアに、前記端末装置が位置すると判定する
付記７記載の制御装置。
【０１８２】
（付記９）
前記制御部は、前記再受信した基地局情報に、前記接続中基地局装置以外の基地局装置の測定結果が含まれない場合、前記接続中基地局装置の通信エリアであって、前記接続中基地局装置以外の基地局装置の検出用信号が到達しないエリアに、前記端末装置が位置すると判定する
付記７記載の制御装置。
【０１８３】
（付記１０）
前記複数の基地局装置の送信処理の制御は、前記複数の基地局装置それぞれの送信出力を増減させる処理を含み、
前記制御部は、前記再受信した基地局情報に含まれる基地局装置の測定結果に基づき、前記複数の基地局装置それぞれの前記送信出力を決定する
付記７記載の制御装置。
【０１８４】
（付記１１）
前記制御部は、前記再受信した基地局情報に、前記接続中基地局装置以外の基地局装置の測定結果が含まれない場合、前記端末装置の前記接続中基地局装置以外の基地局装置の測定結果を推定する
付記７記載の制御装置。
【０１８５】
（付記１２）
前記制御部は、前記接続中基地局装置の通信エリア内であって、前記接続中基地局装置以外の基地局装置の通信エリア端に、前記端末装置が位置すると仮定し、前記推定を行う
付記１１記載の制御装置。
【０１８６】
（付記１３）
前記制御部は、前記接続中基地局装置以外の基地局装置の検出用信号の前記端末装置における受信電力を、前記受信品質の基準値に対応する前記検出用信号の受信電力の第１閾値であると推定する
付記１１記載の制御装置。
【０１８７】
（付記１４）
前記制御部は、前記接続中基地局装置と、前記接続中基地局装置以外の基地局装置との、前記端末装置における前記検出用信号の受信電力の差分を取得し、前記取得した差分の最大値に基づき前記接続中基地局装置以外の基地局装置の検出用信号の前記端末装置における受信電力を推定する
付記１１記載の制御装置。
【０１８８】
（付記１５）
前記制御部は、前記接続中基地局装置以外の基地局装置の検出用信号の前記端末装置における受信電力を、前記接続中基地局装置の検出用信号の受信電力から、前記取得した差分の最大値を減じた値であると推定する
付記１４記載の制御装置。
【０１８９】
（付記１６）
前記検出用信号の受信品質を向上させる制御は、前記検出用信号がマッピングされる周波数帯域に対して、前記検出用信号以外の信号のマッピングを停止させる処理を含む
付記１記載の制御装置。
【０１９０】
（付記１７）
前記検出用信号の受信品質を向上させる制御は、前記接続中基地局装置以外の基地局装置の前記検出用信号の送信電力を上げる処理を含む
付記１記載の制御装置。
【０１９１】
（付記１８）
前記検出用信号の受信品質を向上させる制御は、前記検出用信号がマッピングされる周波数帯域に対して、前記検出用信号以外の信号のマッピングを停止させる停止処理と、前記接続中基地局装置以外の基地局装置の前記検出用信号の送信電力を上げる電力増加処理とを含み、
前記制御部は、前記基地局情報が前記所定の条件を満たさない場合、前記停止処理を実行し、前記端末装置から基地局情報を再受信し、前記再受信した基地局情報が前記所定の条件を満たさない場合、前記電力増加処理を実行する
付記１記載の制御装置。
【０１９２】
（付記１９）
複数の基地局装置のいずれかと通信する端末装置から送信される基地局情報であって、前記端末装置が基準値以上の受信品質で受信した、前記複数の基地局装置から送信される検出用信号の測定結果を含む基地局情報を受信し、前記受信した基地局情報を制御装置に送信する通信部と、
前記基地局情報が所定の条件を満たさない場合、前記端末装置が接続中の接続中基地局装置以外の基地局装置から送信される前記検出用信号の前記端末装置における受信品質を向上させる制御を実行するよう指示する受信品質向上指示を、前記制御装置から受信し、前記受信した受信品質向上指示に応じて、前記検出用信号の受信品質を向上させる処理を行う受信品質向上処理部とを有する、
基地局装置。
【０１９３】
（付記２０）
前記品質向上処理部は、前記検出用信号の受信品質を向上させる処理を行った後、さらに、前記端末装置に対して前記基地局情報を送信するよう要求する
付記１９記載の基地局装置。
【０１９４】
（付記２１）
接続される複数の基地局装置の送信処理を制御する制御装置と、
前記複数の基地局装置から送信される検出用信号のうち、基準値以上の受信品質で受信した前記検出用信号の測定結果を含む基地局情報を、前記制御装置に送信する端末装置と、
前記端末装置が送信する前記基地局情報を、前記制御装置に中継する基地局装置とを有し、
前記制御装置は、前記端末装置から受信した前記基地局情報が所定の条件を満たさない場合、前記端末装置が接続中の接続中基地局装置以外の基地局装置から送信される前記検出用信号の受信品質を向上させる制御を行う
通信システム。
【０１９５】
（付記２２）
接続された複数の基地局装置の送信処理を制御する制御装置における基地局装置制御方法であって、
前記複数の基地局装置のいずれかと通信する端末装置から送信される基地局情報であって、前記基地局装置から送信される検出用信号のうち、前記端末装置において基準値以上の受信品質で受信した前記検出用信号の測定結果を含む基地局情報を受信し、
前記基地局情報が所定の条件を満たさない場合、前記端末装置が接続中の接続中基地局装置以外の基地局装置から送信される前記検出用信号の受信品質を向上させる制御を行う
基地局装置制御方法。
【符号の説明】
【０１９６】
１０…通信システム                      １００…端末装置
１１０…ＣＰＵ                          １２０…ストレージ
１２１…基地局情報報告プログラム        １２１１…基地局情報測定モジュール
１２１２…基地局情報報告送信モジュール  １２２…通信制御プログラム
１３０…メモリ                          １５０…ＲＦ回路
２００…基地局装置                      ２１０…ＣＰＵ
２２０…ストレージ                      ２２１…受信品質向上プログラム
２２１１…停止処理モジュール            ２２１２…送信出力増加モジュール
２２２…通信制御プログラム              ２２２１…無線送信出力制御モジュール
２２２２…周波数リソース割当モジュール  ２２２３…パケット送受信モジュール
２３０…メモリ                          ２４０…ＮＩＣ
２５０…ＲＦ回路                        ３００…制御装置
３１０…ＣＰＵ                          ３２０…ストレージ
３２１…基地局制御プログラム            ３２１１…端末位置判定モジュール
３２１２…受信電力推定モジュール        ３２１３…基地局送信制御モジュール
３２１４…再取得判定モジュール          ３２２…受信品質向上制御プログラム
３２２１…停止処理モジュール            ３２２２…送信出力増加モジュール
３２３…基地局情報取得プログラム        ３２４…基地局情報テーブル
３３０…メモリ                          ３４０…ＮＩＣ
４００…ゲートウェイ                    ５００…外部ネットワーク
【図１】
2018006924.tif 000003
【図２】
2018006924.tif 000004
【図３】
2018006924.tif 000005
【図４】
2018006924.tif 000006
【図５】
2018006924.tif 000007
【図６】
2018006924.tif 000008
【図７】
2018006924.tif 000009
【図８】
2018006924.tif 000010
【図９】
2018006924.tif 000011
【図１０】
2018006924.tif 000012
【図１１】
2018006924.tif 000013
【図１２】
2018006924.tif 000014
【図１３】
2018006924.tif 000015
【図１４】
2018006924.tif 000016
【図１５】
2018006924.tif 000017
【図１６】
2018006924.tif 000018
【図１７】
2018006924.tif 000019